(57)【要約】【課題】使い勝手のよい熱源機の提供。【解決手段】制御手段４は、熱媒供給作動実行中に、バーナ２４の失火状態を検出すると、バーナ２４への点火を行う点火リトライ作動を繰り返し行う点火リトライ処理を実行するように構成され、熱媒供給手段１０，１４は、高温用の暖房端末に高温の熱媒を供給可能でかつ低温用の暖房端末に低温の熱媒を供給可能に構成され、制御手段４は、高温用の暖房端末２に対する高温用の点火リトライモードと低温用の暖房端末１に対する低温用の点火リトライモードとを備えて、熱媒を供給する暖房端末に応じて、高温用の点火リトライモードと低温用の点火リトライモードのいずれかを選択して、点火リトライ処理を実行するように構成されている。【選択図】　　　　図１
2004125275.tif 000002
【特許請求の範囲】
【請求項１】
バーナの燃焼により暖房端末供給用の熱媒を加熱して、その加熱された熱媒を熱媒循環路を通して暖房端末に供給する熱媒供給手段と、前記バーナの燃焼および前記熱媒供給手段の作動を制御する制御手段とが設けられ、前記制御手段は、熱媒の供給が指令されると、前記バーナを燃焼させて、前記熱媒供給手段を作動させる熱媒供給作動を実行し、熱媒の供給停止が指令されると、前記バーナの燃焼を停止させて、前記熱媒供給手段の作動を停止する熱媒供給停止作動を実行し、
前記熱媒供給作動実行中に、前記バーナの失火状態を検出すると、前記バーナへの点火を行う点火リトライ作動を繰り返し行う点火リトライ処理を実行するように構成されている熱源機であって、
前記熱媒供給手段は、高温用の暖房端末に高温の熱媒を供給可能でかつ低温用の暖房端末に低温の熱媒を供給可能に構成され、
前記制御手段は、前記高温用の暖房端末に対する高温用の点火リトライモードと前記低温用の暖房端末に対する低温用の点火リトライモードとを備えて、熱媒を供給する暖房端末に応じて、前記高温用の点火リトライモードと前記低温用の点火リトライモードのいずれかを選択して、前記点火リトライ処理を実行するように構成されている熱源機。
【請求項２】
前記点火リトライ処理の開始から終了までの点火リトライ用時間が、前記低温用の点火リトライモードよりも前記高温用の点火リトライモードの方が短くなるように設定されている請求項１に記載の熱源機。
【請求項３】
前記点火リトライ処理における前記点火リトライ作動の実行回数が、前記低温用の点火リトライモードよりも前記高温用の点火リトライモードの方が多くなるように設定されている請求項２に記載の熱源機。
【請求項４】
前記点火リトライ処理における前記点火リトライ作動の実行間隔が、前記低温用の点火リトライモードよりも前記高温用の点火リトライモードの方が短くなるように設定されている請求項２または３に記載の熱源機。
【請求項５】
前記点火リトライ処理における前記点火リトライ作動の実行間隔が、前記低温用の点火リトライモードよりも前記高温用の点火リトライモードの方が短くなるように設定されている請求項１に記載の熱源機。
【請求項６】
バーナの燃焼により暖房端末供給用の熱媒を加熱して、その加熱された熱媒を熱媒循環路を通して暖房端末に供給する熱媒供給手段と、前記バーナの燃焼および前記熱媒供給手段の作動を制御する制御手段とが設けられ、前記制御手段は、熱媒の供給が指令されると、前記バーナを燃焼させて、前記熱媒供給手段を作動させる熱媒供給作動を実行し、熱媒の供給停止が指令されると、前記バーナの燃焼を停止させて、前記熱媒供給手段の作動を停止する熱媒供給停止作動を実行し、
前記熱媒供給作動実行中に、前記バーナの失火状態を検出すると、前記バーナへの点火を行う点火リトライ作動を繰り返し行う点火リトライ処理を実行するように構成されている熱源機であって、
前記制御手段は、暖房端末に供給される熱媒の温度が点火リトライ停止用温度に低下すると、前記点火リトライ処理を終了するように構成されている熱源機。
【請求項７】
前記制御手段は、前記失火状態における暖房端末に供給される熱媒の温度から設定温度低い温度を、前記点火リトライ停止用温度として設定するように構成されている請求項６に記載の熱源機。
【請求項８】
前記熱媒供給手段は、高温用の暖房端末に高温の熱媒を供給可能でかつ低温用の暖房端末に低温の熱媒を供給可能に構成され、
前記制御手段は、前記点火リトライ停止用温度として、前記高温用の暖房端末に対する高温用の点火リトライ停止用温度とその高温用の点火リトライ停止用温度よりも低く前記低温用の暖房端末に対する低温用の点火リトライ停止用温度とを備えて、熱媒を供給する暖房端末に応じて、前記高温用の点火リトライ停止用温度と前記低温用の点火リトライ停止用温度のいずれかを選択して、前記点火リトライ処理を実行するように構成されている請求項６または７に記載の熱源機。
【発明の詳細な説明】
【０００１】
【発明の属する技術分野】
本発明は、バーナの燃焼により暖房端末供給用の熱媒を加熱して、その加熱された熱媒を熱媒循環路を通して暖房端末に供給する熱媒供給手段と、前記バーナの燃焼および前記熱媒供給手段の作動を制御する制御手段とが設けられ、
前記制御手段は、熱媒の供給が指令されると、前記バーナを燃焼させて、前記熱媒供給手段を作動させる熱媒供給作動を実行し、熱媒の供給停止が指令されると、前記バーナの燃焼を停止させて、前記熱媒供給手段の作動を停止する熱媒供給停止作動を実行し、
前記熱媒供給作動実行中に、前記バーナの失火状態を検出すると、前記バーナへの点火を行う点火リトライ作動を繰り返し行う点火リトライ処理を実行するように構成されている熱源機に関する。
【０００２】
【従来の技術】
上記のような熱源機は、制御手段が熱媒供給作動を実行することにより、浴室暖房装置などの高温用の暖房端末や床暖房装置などの低温用の暖房端末に温水などの熱媒を循環供給するものであり、熱源機から暖房端末へ熱媒を循環供給することによって、床暖房装置や浴室暖房装置などにて暖房を行うようにしている。
【０００３】
そして、従来では、制御手段が、点火リトライ処理を実行することにより、バーナの燃焼中に失火が発生しても、バーナを再点火させて、暖房端末への熱媒の供給を継続させるようにしながら、点火リトライ作動の実行回数が設定回数以上となると、点火リトライ処理を終了していた。
このようにして、点火リトライ処理を終了すると、機器の故障であるとして扱うようにエラーとしている。
説明を加えると、制御手段は、熱媒を供給する暖房端末がどのような暖房端末であっても、処理内容が同様の点火リトライ処理を実行することにより、バーナの燃焼中に失火が発生しても、バーナを再点火させるようにしていた（例えば、特許文献１参照。）。
【０００４】
【特許文献１】
特開２００１−４１３６号公報
【０００５】
【発明が解決しようとする課題】
しかしながら、上記従来の熱源機では、制御手段は、熱媒を供給する暖房端末がどのような暖房端末であっても、処理内容が同様の点火リトライ処理を実行するようにしていたので、未だ機器の故障と扱わなくてもよいときにも、点火リトライ処理が終了してしまう虞があった。
ちなみに、使用者は、機器の故障によるエラーが発生するたびに、メンテナンス作業者を呼ぶなどの処理を行わなければならないので、使い勝手の悪いものとなっている。
【０００６】
未だ機器の故障と扱わなくてもよいときにも、点火リトライ処理が終了してしまう点について説明を加えると、例えば、熱媒を供給する暖房端末が浴室暖房装置などの高温用の暖房端末であるときには、失火状態となると使用者の体感温度が急激に変化するので、短時間でも失火状態が継続すると、所望の暖房効果が得られないとして使用者に不快感を与えてしまうことになる。
それに対して、熱媒を供給する暖房端末が床暖房装置などのように低温用の暖房端末であるときには、失火状態となってから使用者の体感温度の変化が緩やかであるので、失火状態が短時間継続しただけでは、使用者に不快感を与える状態とならず、所望の暖房効果が得られないとして使用者に不快感を与える状態となるまでの時間が、浴室暖房装置などの高温用の暖房端末よりも長くなっている。
【０００７】
したがって、浴室暖房装置などの高温用の暖房端末において、使用者に不快感を与えないようにするために、点火リトライ作動の実行にもかかわらず、失火状態が継続すると、短時間で点火リトライ処理を終了させる必要があるが、床暖房装置などの低温用の暖房端末に熱媒を供給しているときには、使用者に不快感を与える状態となるまでの時間が、浴室暖房装置などの高温用の暖房端末よりも長いので、高温用の暖房端末と同様に、点火リトライ作動の実行にもかかわらず、失火状態が継続すると、短時間で点火リトライ処理を終了させると、未だ機器の故障と扱わなくてもよいときにも、点火リトライ処理が終了してしまうことになる。
【０００８】
本発明は、かかる点に着目してなされたものであり、その目的は、使い勝手のよい熱源機を提供する点にある。
【０００９】
【課題を解決するための手段】
この目的を達成するために、請求項１に記載の発明によれば、バーナの燃焼により暖房端末供給用の熱媒を加熱して、その加熱された熱媒を熱媒循環路を通して暖房端末に供給する熱媒供給手段と、前記バーナの燃焼および前記熱媒供給手段の作動を制御する制御手段とが設けられ、
前記制御手段は、熱媒の供給が指令されると、前記バーナを燃焼させて、前記熱媒供給手段を作動させる熱媒供給作動を実行し、熱媒の供給停止が指令されると、前記バーナの燃焼を停止させて、前記熱媒供給手段の作動を停止する熱媒供給停止作動を実行し、
前記熱媒供給作動実行中に、前記バーナの失火状態を検出すると、前記バーナへの点火を行う点火リトライ作動を繰り返し行う点火リトライ処理を実行するように構成されている熱源機であって、
前記熱媒供給手段は、高温用の暖房端末に高温の熱媒を供給可能でかつ低温用の暖房端末に低温の熱媒を供給可能に構成され、
前記制御手段は、前記高温用の暖房端末に対する高温用の点火リトライモードと前記低温用の暖房端末に対する低温用の点火リトライモードとを備えて、熱媒を供給する暖房端末に応じて、前記高温用の点火リトライモードと前記低温用の点火リトライモードのいずれかを選択して、前記点火リトライ処理を実行するように構成されている。
【００１０】
すなわち、制御手段は、熱媒を供給する暖房端末が高温用の暖房端末であるときには、高温用の点火リトライモードにて点火リトライ処理を実行し、熱媒を供給する暖房端末が低温用の暖房端末であるときには、低温用の点火リトライモードにて点火リトライ処理を実行するので、熱媒を供給する暖房端末が高温用の暖房端末であるときには、その高温用の暖房端末に合った点火リトライ処理を実行し、熱媒を供給する暖房端末が低温用の暖房端末であるときには、その低温用の暖房端末に合った点火リトライ処理を実行することができることになる。
【００１１】
説明を加えると、例えば、熱媒を供給する暖房端末が高温用の暖房端末であるときには、点火リトライ作動の実行にもかかわらず、失火状態が継続すると、短時間で点火リトライ処理を終了させるように高温用の点火リトライモードを設定することができ、また、熱媒を供給する暖房端末が低温用の暖房端末であるときには、点火リトライ作動の実行にもかかわらず、失火状態が継続すると、高温用の暖房端末よりも長い時間で点火リトライ処理を終了させるように低温用の点火リトライモードを設定することができることになる。
そして、上述のように高温用の点火リトライモードを設定すれば、点火リトライ作動の実行にもかかわらず、失火状態が継続すると、使用者に不快感を与えないように、いち早く点火リトライ処理を終了させて、機器の故障と扱うことができることになり、また、上述のように低温用の点火リトライモードを設定すれば、使用者に不快感を与えない範囲で極力点火リトライ処理を継続させることができることになる。
【００１２】
したがって、高温用の暖房端末に合った高温用の点火リトライモードと低温用の暖房端末に合った低温用の点火リトライモードとを備えて、熱媒を供給する暖房端末に応じて、高温用の点火リトライモードと低温用の点火リトライモードとのいずれかを選択することにより、機器の故障と扱うべきときには、いち早く点火リトライ処理を終了させながらも、未だ機器の故障と扱わなくてもよいときには、点火リトライ処理を継続させて、点火リトライ処理が終了してしまうことを回避し、継続して機器を使用できることとなって、使い勝手のよい熱源機を提供できるに至った。
【００１３】
請求項２に記載の発明によれば、請求項１の発明において、前記点火リトライ処理の開始から終了までの点火リトライ用時間が、前記低温用の点火リトライモードよりも前記高温用の点火リトライモードの方が短くなるように設定されている。
【００１４】
すなわち、点火リトライ用時間を、低温用の点火リトライモードよりも高温用の点火リトライモードの方が短くなるように設定するので、請求項１の発明において例示として述べた如く、高温用の点火リトライモードにおいては、点火リトライ作動の実行にもかかわらず、失火状態が継続すると、短時間で点火リトライ処理を終了させることができ、低温用の点火リトライモードにおいては、点火リトライ作動の実行にもかかわらず、失火状態が継続すると、高温用の暖房端末よりも長い時間で点火リトライ処理を終了させることができることになる。
したがって、未だ機器の故障と扱わなくてもよいときにも、点火リトライ処理が終了してしまうことを回避しながら、機器の故障と扱うべきときには、点火リトライ処理を終了させることができることとなって、使い勝手の向上を図ることができることになる。
【００１５】
ちなみに、低温用の暖房端末は、高温用の暖房端末に比べて、温度の低い熱媒を供給することから、熱媒を供給する暖房端末が高温用の暖房端末であるときよりも、熱媒を供給する暖房端末が低温用の暖房端末であるときの方が、バーナの燃焼量が小さいので、逆風や気象条件などの機器外の環境の影響を受けて、失火状態が発生する可能性が高い。
そこで、点火リトライ用時間を、低温用の点火リトライモードよりも高温用の点火リトライモードの方が短くなるように設定することにより、低温用の点火リトライモードにおいては、点火リトライ処理を終了するまでに、機器外の環境が回復するような時間を確保することができ、この点からも、未だ機器の故障と扱わなくてもよいときに、点火リトライ処理が終了してしまうことを回避することができることになる。
【００１６】
請求項３に記載の発明によれば、請求項２の発明において、前記点火リトライ処理における前記点火リトライ作動の実行回数が、前記低温用の点火リトライモードよりも前記高温用の点火リトライモードの方が多くなるように設定されている。
【００１７】
すなわち、高温用の暖房端末は、失火状態となると使用者の体感温度が急激に変化するので、使用者に不快感を与えないように、迅速に再点火することが求められるが、低温用の暖房端末は、失火状態となってから使用者の体感温度の変化が緩やかであるので、高温用の暖房端末ほど、再点火するまでの時間を短くすることが求められない。
そして、請求項３の発明においては、点火リトライ処理における点火リトライ作動の実行回数を、低温用の点火リトライモードよりも高温用の点火リトライモードの方が多くなるように設定するので、高温用の点火リトライモードにおいては、バーナの燃焼中に失火が発生すると、点火リトライ作動を多数回繰り返し実行して、極力早く再点火を行わせることができることになり、低温用の点火リトライモードにおいては、点火リトライ作動の実行回数を少なくして、点火装置などの作動回数を極力抑えることができることになる。
したがって、バーナの燃焼中に失火が発生したときに、高温用の暖房端末では、迅速にバーナを再点火させて、使用者に不快感を与えることを回避することができ、低温用の暖房端末では、点火装置などの作動回数を極力抑えて、点火装置などの装置類の劣化を抑制できることとなって、機器の劣化を抑制しながら、より使い勝手の向上を図ることができることになる。
【００１８】
請求項４に記載の発明によれば、請求項２または３の発明において、前記点火リトライ処理における前記点火リトライ作動の実行間隔が、前記低温用の点火リトライモードよりも前記高温用の点火リトライモードの方が短くなるように設定されている。
【００１９】
すなわち、点火リトライ処理における前記点火リトライ作動の実行間隔を、低温用の点火リトライモードよりも高温用の点火リトライモードの方が短くなるように設定するので、高温用の点火リトライモードにおいては、バーナの燃焼中に失火が発生すると、短時間で点火リトライ作動を繰り返し実行して、極力早く再点火を行わせることができることになり、低温用の点火リトライモードにおいては、点火リトライ作動の実行間隔極力長くして、点火装置などの作動回数を極力抑えることができることになる。
したがって、バーナの燃焼中に失火が発生したときに、高温用の暖房端末では、迅速にバーナを再点火させて、使用者に不快感を与えることを回避することができ、低温用の暖房端末では、点火装置などの作動回数を極力抑えて、点火装置などの装置類の劣化を抑制することができることとなって、機器の劣化を抑制しながら、より一層使い勝手の向上を図ることができることになる。
【００２０】
請求項５に記載の発明によれば、請求項１の発明において、前記点火リトライ処理における前記点火リトライ作動の実行間隔が、前記低温用の点火リトライモードよりも前記高温用の点火リトライモードの方が短くなるように設定されている。
【００２１】
すなわち、点火リトライ処理における前記点火リトライ作動の実行間隔が、前記低温用の点火リトライモードよりも前記高温用の点火リトライモードの方が短くなるように設定するので、高温用の点火リトライモードにおいては、バーナの燃焼中に失火が発生すると、短時間で点火リトライ作動を繰り返し実行して、極力早く再点火を行わせることができることになり、低温用の点火リトライモードにおいては、点火リトライ作動の実行間隔極力長くして、点火装置などの作動回数を極力抑えることができることになる。
したがって、バーナの燃焼中に失火が発生したときに、高温用の暖房端末では、迅速にバーナを再点火させて、使用者に不快感を与えることを回避することができ、低温用の暖房端末では、点火装置などの作動回数を極力抑えて、点火装置などの装置類の劣化を抑制することができることとなって、機器の劣化を抑制しながら、使い勝手の向上を図ることができることになる。
【００２２】
請求項６に記載の発明によれば、バーナの燃焼により暖房端末供給用の熱媒を加熱して、その加熱された熱媒を熱媒循環路を通して暖房端末に供給する熱媒供給手段と、前記バーナの燃焼および前記熱媒供給手段の作動を制御する制御手段とが設けられ、
前記制御手段は、熱媒の供給が指令されると、前記バーナを燃焼させて、前記熱媒供給手段を作動させる熱媒供給作動を実行し、熱媒の供給停止が指令されると、前記バーナの燃焼を停止させて、前記熱媒供給手段の作動を停止する熱媒供給停止作動を実行し、
前記熱媒供給作動実行中に、前記バーナの失火状態を検出すると、前記バーナへの点火を行う点火リトライ作動を繰り返し行う点火リトライ処理を実行するように構成されている熱源機において、
前記制御手段は、暖房端末に供給される熱媒の温度が点火リトライ停止用温度に低下すると、前記点火リトライ処理を終了するように構成されている。
【００２３】
すなわち、制御手段は、暖房端末に供給される熱媒の温度を監視し、その熱媒の温度が点火リトライ停止用温度に低下すると、点火リトライ処理を終了させるので、暖房端末に供給される熱媒の温度に基づいて、使用者の体感温度を監視して、その体感温度が不快と感じるような温度に低下すると、機器の故障と扱うべきであるとして、点火リトライ処理を終了させることができ、所望の暖房効果を得ることができなくなり使用者に不快感を与えてしまう状態となる直前まで、点火リトライ処理を継続させることができることになる。
【００２４】
ちなみに、点火リトライ作動を設定回数実行すると、点火リトライ処理を終了するように構成したり、点火リトライ処理の開始から設定時間が経過すると、点火リトライ処理を終了するように構成するものでは、使用者の体感温度が不快と感じるような温度に低下していないにもかかわらず、機器の故障と扱うべきであるとして、点火リトライ処理を終了してしまう虞がある。
【００２５】
したがって、機器の故障と扱うべきときには、いち早く点火リトライ処理を終了させながらも、未だ機器の故障と扱わなくてもよいときには、点火リトライ処理を継続させて、点火リトライ処理が終了してしまうことを回避し、継続して機器を使用できることとなって、使い勝手のよい熱源機を提供できるに至った。
【００２６】
請求項７に記載の発明によれば、請求項８の発明において、前記制御手段は、前記失火状態における暖房端末に供給される熱媒の温度から設定温度低い温度を、前記点火リトライ停止用温度として設定するように構成されている。
【００２７】
すなわち、制御手段は、暖房端末に供給される熱媒の温度が失火状態における暖房端末に供給される熱媒の温度から設定温度低い温度となると、点火リトライ処理を終了するので、実際に使用者の体感温度が変化したことを検出し、使用者が不快と感じるほど体感温度が変化していると、点火リトライ処理を終了させることができることになる。
したがって、使用者が不快と感じる直前まで、的確に点火リトライ処理を継続させることができ、未だ機器の故障と扱わなくてもよいときにも、点火リトライ処理が終了してしまうことを的確に回避することができることとなって、使い勝手の向上を図ることができることになる。
【００２８】
請求項８に記載の発明によれば、前記熱媒供給手段は、高温用の暖房端末に高温の熱媒を供給可能でかつ低温用の暖房端末に低温の熱媒を供給可能に構成され、
前記制御手段は、前記点火リトライ停止用温度として、前記高温用の暖房端末に対する高温用の点火リトライ停止用温度とその高温用の点火リトライ停止用温度よりも低く前記低温用の暖房端末に対する低温用の点火リトライ停止用温度とを備えて、熱媒を供給する暖房端末に応じて、前記高温用の点火リトライ停止用温度と前記低温用の点火リトライ停止用温度のいずれかを選択して、前記点火リトライ処理を実行するように構成されている。
【００２９】
すなわち、制御手段は、熱媒を供給する暖房端末が高温用の暖房端末であるときには、暖房端末に供給される熱媒の温度が高温用の点火リトライ停止用温度に低下すると、点火リトライ処理を終了し、熱媒を供給する暖房端末が低温用の暖房端末であるときには、暖房端末に供給される熱媒の温度が低温用の点火リトライ停止用温度に低下すると、点火リトライ処理を終了するので、熱媒を供給する暖房端末が、高温用の暖房端末であっても、低温用の暖房端末であっても、使用者の体感温度が不快と感じるような温度に低下すると、機器の故障と扱うべきであるとして、点火リトライ処理を終了させることができることになる。
したがって、熱媒を供給する暖房端末が、高温用の暖房端末であっても、低温用の暖房端末であっても、未だ機器の故障と扱わなくてもよいときにも、点火リトライ処理が終了してしまうことを回避して、機器の故障と扱うべきときに、的確に点火リトライ処理を終了させることができることとなって、一層使い勝手のよいものとなる。
【００３０】
【発明の実施の形態】
本発明にかかる熱源機を熱媒供給システムに適応した例を図面に基づいて説明する。
〔第１実施形態〕
この熱媒供給システムは、図１に示すように、床暖房装置などの低温用の暖房端末１、浴室暖房装置やファンコンベクターなどの高温用の暖房端末２、低温用の暖房端末１に低温の熱媒を供給しかつ高温用の暖房端末２に高温の熱媒を供給する熱源機３、その熱源機３の運転を制御する制御手段としての熱源機側制御部４、その熱源機側制御部４と通信自在な低温端末側制御部５および高温端末側制御部６などを備えて構成されている。
ちなみに、この熱媒供給システムでは、低温用の暖房端末１を２つ設けるように構成され、低温の熱媒は、例えば、６０℃の温水とし、高温の熱媒は、例えば、８０℃の温水としている。
【００３１】
前記熱源機３は、高温用の端末２に高温の熱媒を供給する高温側往路７、低温用の暖房端末１に低温の熱媒を供給する低温側往路８、高温用の暖房端末２からの高温の熱媒および低温用の暖房端末１からの低温の熱媒を合流状態で受け入れる戻り路９、その戻り路９からの熱媒を加熱手段としての熱交換器１０を経由して通流して高温側往路７に供給する加熱路１１、高温側往路７の高温の熱媒の一部を戻り路９に分岐供給するバイパス路１２などを備えて構成されている。
【００３２】
前記戻り路９は、その途中流路に、シスターン１３、熱媒循環用の循環ポンプ１４が設けられ、受け入れた熱媒を加熱路１１および低温側往路８に分岐供給するように構成されている。
そして、高温側往路７におけるバイパス路１２の分岐箇所よりも上流側には、高温側往路７の高温の熱媒の温度を検出する高温往きサーミスタ１６が設けられ、低温側往路８には、低温側往路８の低温の熱媒の温度を検出する低温往きサーミスタ１７が設けられている。
【００３３】
そして、高温側往路７は、熱源機用流路接続部材１８を介して、高温端末往き路１９に接続されて、高温の熱媒を高温用の暖房端末２に供給するように構成され、低温側往路８は、熱源機用流路接続部材１８を介して、低温端末往き路２０に接続されて、低温の熱媒を低温用の暖房端末１に供給するように構成されている。
また、高温端末戻り路２１と低温端末戻り路２２とが熱媒合流路２３に接続され、戻り路９は、熱源機用流路接続部材１８を介して、熱媒合流路２３に接続されて、高温の熱媒および低温の熱媒を合流状態で受け入れるように構成されている。
このようにして、高温側往路７、低温側往路８、および、戻り路９などにより熱媒循環路が構成され、熱交換器１０および循環ポンプ１４などにより熱媒供給手段が構成されている。
【００３４】
前記熱交換器１０は、バーナ２４の燃焼により加熱路１１を通流する熱媒を加熱するように構成され、バーナ２４に燃焼用空気を供給するファン２５が設けられている。
そして、バーナ２４への燃料ガス供給路２６には、燃料ガスの供給を断続する断続弁２７、バーナ２４への燃料ガス供給量を調整する調整弁２８が設けられている。
また、バーナ２４に点火するイグナイタ２９、バーナ２４の燃焼状態を検出するフレームロッド３０も設けられている。
【００３５】
前記熱源機側制御部４は、低温端末側制御部５から低温側の熱媒供給の開始および停止を指令する制御情報、および、高温端末側制御部６から高温側の熱媒供給の開始および停止を指令する制御情報に基づいて、低温用の暖房端末１および高温用の暖房端末２のうち、熱媒の供給が指令されている一方あるいは両方の暖房端末に対して熱媒を供給すべく、熱源機３の運転を制御するように構成されている。
【００３６】
説明を加えると、熱源機側制御部４は、低温端末側制御部５と高温端末側制御部６の少なくとも一方から熱媒の供給が指令されると、ファン２５を作動させて、断続弁２７および調整弁２８を開弁させた状態で、イグナイタ２９にてバーナ２４に点火させ、バーナ２４を燃焼させて、循環ポンプ１４を作動させる熱媒供給作動を実行するように構成されている。
そして、熱源機側制御部４は、熱媒供給作動において、高温往きサーミスタ１６および低温往きサーミスタ１７の検出温度に基づいて、高温用の暖房端末２には高温の熱媒を供給するように、かつ、低温用の暖房端末１には低温の熱媒を供給するように、バーナ２４の燃焼状態を制御するように構成されている。
【００３７】
すなわち、高温用の暖房端末２のみに熱媒を供給しているときには、高温往きサーミスタ１６の検出温度に基づいて、高温側往路７における高温の熱媒の温度が高温側目標温度（例えば、８０℃）になるように、ファン２５の回転速度および調整弁２２の開度を調整して、バーナ２４の燃焼状態を制御する。
そして、低温用の暖房端末２のみに熱媒を供給しているときには、低温往きサーミスタ１７の検出温度に基づいて、低温側往路８における低温の熱媒の温度が高温側目標温度（例えば、６０℃）になるように、ファン２５の回転速度および調整弁２２の開度を調整して、バーナ２４の燃焼状態を制御する。
また、高温用の暖房端末２および低温用の暖房端末１の両方に熱媒を供給しているときには、高温往きサーミスタ１６の検出温度に基づいて、高温側往路７における高温の熱媒の温度が高温側目標温度（例えば、８０℃）になるように、ファン２５の回転速度および調整弁２２の開度を調整して、バーナ２４の燃焼状態を制御する。
【００３８】
そして、熱源機側制御部４は、熱媒を供給している暖房端末から熱媒の供給停止が指令されると、断続弁２７および調整弁２８を閉弁させてバーナ２４の燃焼を停止したのち、ファン２５の作動を停止させるとともに、循環ポンプ１４の作動を停止させる熱媒供給停止作動を実行するように構成されている。
説明を加えると、高温用の暖房端末２のみに熱媒を供給しているときには、高温端末側制御部６から熱媒の供給停止が指令されると、熱媒供給停止作動を実行し、低温用の暖房端末１のみに熱媒を供給しているときには、低温端末側制御部５から熱媒の供給が指令されると、熱媒供給停止作動を実行する。
また、高温用の暖房端末２および低温用の暖房端末１の両方に熱媒を供給しているときには、高温端末側制御部４と低温端末側制御部５との両方から熱媒の供給停止が指令されると、熱媒供給停止作動を実行する。
【００３９】
上述の如く、熱源機側制御部４は、熱媒供給作動を実行することにより、熱媒の供給が指令されている暖房端末に対して熱媒を供給するようにしているが、熱媒供給作動実行中に、フレームロッド３０の検出情報に基づいて、バーナ２４の失火状態を検出すると、イグナイタ２９にてバーナ２４への点火を行う点火リトライ作動を繰り返し行う点火リトライ処理を実行して、熱媒供給作動中に、バーナ２４が失火しても、バーナ２４を再点火させるように構成されている。
【００４０】
前記点火リトライ処理について説明を加えると、熱源機側制御部４は、高温用の暖房端末２に対する高温用の点火リトライモードと低温用の暖房端末１に対する低温用の点火リトライモードとを備えて、熱媒を供給する暖房端末に応じて、高温用の点火リトライモードと低温用の点火リトライモードのいずれかを選択して、点火リトライ処理を実行するように構成されている。
【００４１】
説明を加えると、熱源機側制御部４は、高温用の暖房端末２のみに熱媒を供給するときには、高温用の点火リトライモードを選択し、低温用の暖房端末１のみに熱媒を供給するときには、低温用の点火リトライモードを選択し、高温用の暖房端末２および低温用の暖房端末１の両方に熱媒を供給するときには、高温用の点火リトライモードを選択する。
【００４２】
そして、高温用の点火リトライモードでの点火リトライ処理は、高温用の暖房端末２に適した処理内容に設定され、低温用の点火リトライモードでの点火リトライ処理は、低温用の暖房端末２に適した処理内容に設定されており、以下、夫々の処理内容について説明を加える。
【００４３】
すなわち、点火リトライ処理の処理内容は、まず、点火リトライ処理の開始から終了までの点火リトライ用時間については、低温用の点火リトライモードよりも高温用の点火リトライモードの方が短くなるように設定されている。
そして、点火リトライ用時間を上述のように設定した状態で、点火リトライ処理における点火リトライ作動の実行回数については、低温用の点火リトライモードよりも高温用の点火リトライモードの方が多くなるように設定され、かつ、点火リトライ処理における点火リトライ作動の実行間隔については、低温用の点火リトライモードよりも高温用の点火リトライモードの方が短くなるように設定されている。
【００４４】
説明を加えると、高温用の点火リトライモードにおいては、短い間隔で点火リトライ作動を繰り返し実行し、かつ、その実行回数も多数回としながら、点火リトライ作動の実行にもかかわらず、失火状態が継続すると、短時間で点火リトライ処理を終了させるように設定されている。
それに対して、低温用の点火リトライモードにおいては、高温用の点火リトライモードより長い間隔で点火リトライ作動を繰り返し実行し、かつ、その実行回数も少数回としながら、高温用の点火リトライモードよりも長い時間で点火リトライ処理を終了させるように設定されている。
【００４５】
具体的に説明すると、高温用の点火リトライモードでの点火リトライ処理においては、点火リトライ作動を実行してから高温用実行間隔Ｌ１経過するごとに点火リトライ作動を実行する状態で、点火リトライ作動を繰り返し実行し、点火リトライ作動の実行回数が高温用実行回数Ｎ１になり、点火リトライ処理を開始してからの経過時間が高温用点火リトライ用時間Ｐ１になると、点火リトライ処理を終了するようにしている。
また、低温用の点火リトライモードでの点火リトライ処理においては、点火リトライ作動を実行してから低温用実行間隔Ｌ２経過するごとに点火リトライ作動を実行する状態で、点火リトライ作動を繰り返し実行し、点火リトライ作動の実行回数が低温用実行回数Ｎ２になり、点火リトライ処理を開始してからの経過時間が低温用点火リトライ用時間Ｐ２になると、点火リトライ処理を終了するようにしている。
ただし、Ｌ１＜Ｌ２、Ｎ１＞Ｎ２、Ｐ１＜Ｐ２とし、例えば、低温用の点火リトライモードでの点火リトライ処理において、５〜１０分に３回の割合で点火リトライ作動を繰り返し実行するように設定されている。
【００４６】
そして、熱源機側制御部４は、点火リトライ処理の実行により、フレームロッド３０にてバーナ２４の着火が確認できると、上述の熱媒供給作動を実行して、熱媒の供給が指令されている暖房端末に対する熱媒の供給を継続させるように構成されている。
また、熱源機側制御部４は、未着火状態のまま、点火リトライ処理を終了すると、断続弁２７および調整弁２８を閉弁させたのち、ファン２５の作動を停止させるとともに、循環ポンプ１４の作動を停止させるエラー用停止作動を行って、エラー表示し、機器の故障と扱うように構成されている。
【００４７】
このようにして、熱媒を供給する暖房端末が高温用の暖房端末２であるときには、短時間で点火リトライ作動を繰り返し実行し、かつ、その実行回数も多数回として、極力早く再点火させるようにしながら、そのような点火リトライ作動の実行にもかかわらず、失火状態が継続すると、短時間で点火リトライ処理を終了させて、機器の故障と扱うべきときには、いち早く点火リトライ処理を終了させて、機器の故障と扱うようにしている。
逆に、熱媒を供給する暖房端末が低温用の暖房端末１であるときには、高温用の暖房端末２より長時間で点火リトライ作動を繰り返し実行し、かつ、その実行回数も少数回として、点火装置などの作動回数を極力抑えて、点火装置などの装置類の劣化を抑制しながら、点火リトライ作動の実行にもかかわらず、失火状態が継続すると、高温用の暖房端末２よりも長い時間で点火リトライ処理を終了させて、点火リトライ処理を終了するまでに、機器外の環境が回復するような時間を確保しながら、未だ機器の故障と扱わなくてもよいときに、点火リトライ処理が終了してしまうことを回避するようにしている。
【００４８】
前記熱源機側制御部４の制御動作について、図２のフローチャートに基づいて説明を加える。
まず、低温端末側制御部５または高温端末側制御部６から熱媒の供給が指令されると、熱媒供給作動を実行して、熱媒の供給が指令された暖房端末に対して熱媒を供給するようにしている（ステップ１、２）。
そして、熱媒供給作動中に、フレームロッド３０の検出情報に基づいて、バーナ２４の失火状態を検出しなければ、熱媒を供給している暖房端末から熱媒の供給停止が指令されるまで、熱媒供給作動を継続させ、熱媒を供給している暖房端末から熱媒の供給停止が指令されると、熱媒供給停止作動を実行して、暖房端末への熱媒の供給を停止させる（ステップ３〜５）。
【００４９】
前記熱媒供給作動中に、フレームロッド３０の検出情報に基づいて、バーナ２４の失火状態を検出すると、熱媒を供給する暖房端末が高温用の暖房端末２のみあるいは高温用の暖房端末２および低温用の暖房端末１の両方であると、高温用の点火リトライモードを選択して、高温用の点火リトライモードでの点火リトライ処理を実行する（ステップ３，６，７）。
また、熱媒を供給する暖房端末が低温用の暖房端末１のみであると、低温用の点火リトライモードを選択して、低温用の点火リトライモードでの点火リトライ処理を実行する（ステップ６，８）。
【００５０】
ちなみに、熱媒を供給する暖房端末が低温用の暖房端末１のみであるときに、高温端末側制御部６から熱媒の供給が指令されると、点火リトライ処理を実行する点火リトライモードを、低温用の点火リトライモードから高温用の点火リトライモードに変更する。
また、熱媒を供給する暖房端末が高温用の暖房端末２および低温用の暖房端末１の両方であるときに、高温端末側制御部６から熱媒の供給停止が指令されると、点火リトライ処理を実行する点火リトライモードを、高温用の点火リトライモードから低温用の点火リトライモードに変更する。
【００５１】
前記高温用の点火リトライモードでの点火リトライ処理について、図３のフローチャートに基づいて説明を加えると、まず、点火リトライ作動を実行し、フレームロッド３０にてバーナ２４の着火を確認できると、上述の熱媒供給作動を実行するように、ステップ２に移行する（ステップ１１，１２）。
そして、点火リトライ作動を実行しても、バーナ２４の着火が確認できないときには、点火リトライ作動を実行してから高温用実行間隔Ｌ１が経過すると、再度、点火リトライ作動を実行する（ステップ１３，１４）。
【００５２】
また、再度の点火リトライ作動を実行しても、バーナ２４の着火が確認できないときには、その点火リトライ作動の実行回数Ｎが高温用実行回数Ｎ１以上になるまで、点火リトライ作動を実行してから高温用実行間隔Ｌ１経過するごとに点火リトライ作動を繰り返し実行する（ステップ１３〜１６）。
そして、点火リトライ作動の実行回数Ｎが高温用実行回数Ｎ１以上になり、点火リトライ処理を開始してから高温用点火リトライ用時間Ｐ１が経過すると、点火リトライ処理を終了して、断続弁２７および調整弁２８を閉弁させたのち、ファン２５の作動を停止させるとともに、循環ポンプ１４の作動を停止させるエラー用停止作動を行って、エラー表示するようにしている（ステップ１６〜１８）。
【００５３】
前記低温用の点火リトライモードでの点火リトライ処理について、図４のフローチャートに基づいて説明を加えると、まず、点火リトライ作動を実行し、フレームロッド３０にてバーナ２４の着火を確認できると、上述の熱媒供給作動を実行するように、ステップ２に移行する（ステップ２１，２２）。
そして、点火リトライ作動を実行しても、バーナ２４の着火が確認できないときには、点火リトライ作動を実行してから低温用実行間隔Ｌ２が経過すると、再度、点火リトライ作動を実行する（ステップ２３，２４）。
【００５４】
また、再度の点火リトライ作動を実行しても、バーナ２４の着火が確認できないときには、その点火リトライ作動の実行回数Ｎが低温用実行回数Ｎ２以上になるまで、点火リトライ作動を実行してから低温用実行間隔Ｌ２経過するごとに点火リトライ作動を繰り返し実行する（ステップ２３〜２６）。
そして、点火リトライ作動の実行回数Ｎが低温用実行回数Ｎ２以上になり、点火リトライ処理を開始してから低温用点火リトライ用時間Ｐ２が経過すると、点火リトライ処理を終了して、断続弁２７および調整弁２８を閉弁させたのち、ファン２５の作動を停止させるとともに、循環ポンプ１４の作動を停止させるエラー用停止作動を行って、エラー表示するようにしている（ステップ２６〜２８）。
【００５５】
〔第２実施形態〕
この第２実施形態は、上記第１実施形態における点火リトライ処理の処理内容の別実施形態を示すものであり、以下、点火リトライ処理における処理内容について説明する。
なお、その他の構成については、上記第１実施形態と同様であるので、同符号を記すなどにより、その詳細な説明は省略する。
【００５６】
前記点火リトライ処理の処理内容は、点火リトライ処理における点火リトライ作動の実行回数については、低温用の点火リトライモードと高温用の点火リトライモードとで同じ実行回数に設定され、かつ、点火リトライ処理における点火リトライ作動の実行間隔については、低温用の点火リトライモードよりも高温用の点火リトライモードの方が短くなるように設定されている。
そして、上述のように、点火リトライ作動の実行回数および点火リトライ作動の実行間隔を設定することにより、点火リトライ処理の開始から終了までの点火リトライ用時間が、低温用の点火リトライモードよりも高温用の点火リトライモードの方が短くなるように設定されている。
【００５７】
説明を加えると、高温用の点火リトライモードでの点火リトライ処理においては、点火リトライ作動を実行してから高温用実行間隔Ｌ１経過するごとに点火リトライ作動を実行する状態で、点火リトライ作動を繰り返し実行し、点火リトライ作動の実行回数が設定回数Ｎ３になると、点火リトライ処理を終了するようにしている。
また、低温用の点火リトライモードでの点火リトライ処理においては、点火リトライ作動を実行してから低温用実行間隔Ｌ２経過するごとに点火リトライ作動を実行する状態で、点火リトライ作動を繰り返し実行し、点火リトライ作動の実行回数が設定回数Ｎ３になると、点火リトライ処理を終了するようにしている。
ただし、Ｌ１＜Ｌ２としている。
【００５８】
前記高温用の点火リトライモードでの点火リトライ処理について、図５のフローチャートに基づいて説明すると、まず、点火リトライ作動を実行し、フレームロッド３０にてバーナ２４の着火を確認できると、上述の熱媒供給作動を実行するように、ステップ２に移行する（ステップ３１，３２）。
そして、点火リトライ作動を実行しても、バーナ２４の着火が確認できないときには、点火リトライ作動を実行してから高温用実行間隔Ｌ１が経過すると、再度、点火リトライ作動を実行する（ステップ３３，３４）。
【００５９】
また、再度の点火リトライ作動を実行しても、バーナ２４の着火が確認できないときには、その点火リトライ作動の実行回数Ｎが設定回数Ｎ３以上になるまで、点火リトライ作動を実行してから高温用実行間隔Ｌ１経過するごとに点火リトライ作動を繰り返し実行する（ステップ３３〜３６）。
そして、点火リトライ作動の実行回数Ｎが設定回数Ｎ３以上になると、点火リトライ処理を終了して、断続弁２２および調整弁２３を閉弁させたのち、ファン２０の作動を停止させるとともに、循環ポンプ１４の作動を停止させるエラー用停止作動を行って、エラー表示するようにしている（ステップ３６，３７）。
【００６０】
前記低温用の点火リトライモードでの点火リトライ処理について、図６のフローチャートに基づいて説明すると、まず、点火リトライ作動を実行し、フレームロッド３０にてバーナ２４の着火を確認できると、上述の熱媒供給作動を実行するように、ステップ２に移行する（ステップ４１，４２）。
そして、点火リトライ作動を実行しても、バーナ２４の着火が確認できないときには、点火リトライ作動を実行してから低温用実行間隔Ｌ２が経過すると、再度、点火リトライ作動を実行する（ステップ４３，４４）。
【００６１】
また、再度の点火リトライ作動を実行しても、バーナ２４の着火が確認できないときには、その点火リトライ作動の実行回数Ｎが設定回数Ｎ３以上になるまで、点火リトライ作動を実行してから低温用実行間隔Ｌ２経過するごとに点火リトライ作動を繰り返し実行する（ステップ４３〜４６）。
そして、点火リトライ作動の実行回数Ｎが設定回数Ｎ３以上になると、点火リトライ処理を終了して、断続弁２２および調整弁２３を閉弁させたのち、ファン２０の作動を停止させるとともに、循環ポンプ１４の作動を停止させるエラー用停止作動を行って、エラー表示するようにしている（ステップ４６，４７）。
【００６２】
〔第３実施形態〕
この第３実施形態は、上記第１実施形態における点火リトライ処理の処理内容の別実施形態を示すものであり、以下、点火リトライ処理における処理内容について説明する。
なお、その他の構成については、上記第１実施形態と同様であるので、同符号を記すなどにより、その詳細な説明は省略する。
【００６３】
前記熱源機側制御部４は、高温用の暖房端末２に対する高温用の点火リトライ停止用温度とその高温用の点火リトライ停止用温度よりも低く低温用の暖房端末１に対する低温用の点火リトライ停止用温度とを備えて、熱媒を供給する暖房端末に応じて、高温用の点火リトライ停止用温度と低温用の点火リトライ停止用温度のいずれかを選択して、暖房端末に供給される熱媒の温度が点火リトライ停止用温度に低下すると、点火リトライ処理を終了するように構成されている。
【００６４】
説明を加えると、熱源機側制御部４は、高温用の暖房端末２のみに熱媒を供給するときには、高温用の点火リトライモードを選択することにより、高温用の点火リトライ停止用温度Ｔ１を選択し、低温用の暖房端末１のみに熱媒を供給するときには、低温用の点火リトライモードを選択することにより、低温用の点火リトライ停止用温度を選択し、高温用の暖房端末２および低温用の暖房端末１の両方に熱媒を供給するときには、高温用の点火リトライモードを選択することにより、高温用の点火リトライ停止用温度を選択するように構成されている。
【００６５】
そして、熱源機側制御部４は、高温用の点火リトライモードでの点火リトライ処理においては、高温往きサーミスタ１６の検出温度Ｔａが高温用の点火リトライ停止用温度Ｔ１に低下するまで、点火リトライ作動を設定間隔Ｌ３経過するごとに繰り返し実行し、高温往きサーミスタ１６の検出温度Ｔａが高温用の点火リトライライ停止用温度Ｔ１に低下すると、点火リトライ処理を終了するように構成されている。
また、熱源機側制御部４は、低温用の点火リトライモードでの点火リトライ処理においては、低温往きサーミスタ１７の検出温度Ｔｂが低温用の点火リトライ停止用温度Ｔ２に低下するまで、点火リトライ作動を設定間隔Ｌ３経過するごとに繰り返し実行し、低温往きサーミスタ１７の検出温度Ｔｂが低温用の点火リトライ停止用温度Ｔ２に低下すると、点火リトライ処理を終了するように構成されている。
ただし、Ｔ１＞Ｔ２とし、例えば、Ｔ１＝５０℃、Ｔ２＝４０℃と設定している。
【００６６】
このようにして、熱媒を供給する暖房端末が、高温用の暖房端末２であっても、低温用の暖房端末１であっても、所望の暖房効果を得ることができなくなり使用者に不快感を与える状態となる直前まで、点火リトライ処理を継続させて、未だ機器の故障と扱わなくてもよいときには、継続して機器を使用できることとなって、使い勝手のよいものとなる。
【００６７】
前記高温用の点火リトライモードでの点火リトライ処理について、図７のフローチャートに基づいて説明を加えると、まず、点火リトライ作動を実行し、フレームロッド３０にてバーナ２４の着火を確認できると、上述の熱媒供給作動を実行するように、ステップ２に移行する（ステップ５１，５２）。
そして、点火リトライ作動を実行しても、バーナ２４の着火が確認できないときには、点火リトライ作動を実行してから設定間隔Ｌ３が経過すると、再度、点火リトライ作動を実行する（ステップ５３，５４）。
【００６８】
また、再度の点火リトライ作動を実行しても、バーナ２４の着火が確認できないときには、高温往きサーミスタ１６の検出温度Ｔａが高温用の点火リトライ停止用温度Ｔ１以下になるまで、点火リトライ作動を実行してから設定間隔Ｌ３経過するごとに点火リトライ作動を繰り返し実行する（ステップ５３〜５６）。
その後、高温往きサーミスタ１６の検出温度Ｔａが高温用の点火リトライ停止用温度Ｔ１以下になると、点火リトライ処理を終了して、断続弁２７および調整弁２８を閉弁させたのち、ファン２５の作動を停止させるとともに、循環ポンプ１４の作動を停止させるエラー用停止作動を行って、エラー表示するようにしている（ステップ５６，５７）。
【００６９】
前記低温用の点火リトライモードでの点火リトライ処理について、図８のフローチャートに基づいて説明を加えると、まず、点火リトライ作動を実行し、フレームロッド３０にてバーナ２４の着火を確認できると、上述の熱媒供給作動を実行するように、ステップ２に移行する（ステップ６１，６２）。
そして、点火リトライ作動を実行しても、バーナ２４の着火が確認できないときには、点火リトライ作動を実行してから設定間隔Ｌ３が経過すると、再度、点火リトライ作動を実行する（ステップ６３，６４）。
【００７０】
また、再度の点火リトライ作動を実行しても、バーナ２４の着火が確認できないときには、低温往きサーミスタ１７の検出温度Ｔｂが低温用の点火リトライ停止用温度Ｔ２以下になるまで、点火リトライ作動を実行してから設定間隔Ｌ３経過するごとに点火リトライ作動を繰り返し実行する（ステップ６３〜６６）。
その後、低温往きサーミスタ１７の検出温度Ｔｂが低温用の点火リトライ停止用温度Ｔ２以下になると、点火リトライ処理を終了して、断続弁２７および調整弁２８を閉弁させたのち、ファン２５の作動を停止させるとともに、循環ポンプ１４の作動を停止させるエラー用停止作動を行って、エラー表示するようにしている（ステップ６６，６７）。
【００７１】
〔第４実施形態〕
この第３実施形態は、上記第４実施形態における点火リトライ停止用温度の設定についての別実施形態を示すものであり、以下、点火リトライ処理における処理内容について説明する。
なお、その他の構成については、上記第１および弟４実施形態と同様であるので、同符号を記すなどにより、その詳細な説明は省略する。
【００７２】
前記熱源機側制御部４は、点火リトライ停止用温度を単純な設定温度とするのではなく、失火状態における暖房端末に供給される熱媒の温度から設定温度低い温度を、点火リトライ停止用温度として設定するように構成されている。
説明を加えると、熱源機側制御部４は、失火状態における高温往きサーミスタ１６の検出温度Ｔｃから高温用設定温度Δｔ１低い温度（Ｔｃ−Δｔ１）を、高温用の点火リトライ停止用温度として設定し、失火状態における高温往きサーミスタ１６の検出温度Ｔｄから低温用設定温度Δｔ２低い温度（Ｔｄ−Δｔ２）を、低温用の点火リトライ停止用温度として設定するように構成されている。
ただし、Δｔ１＜Δｔ２とし、例えば、Δｔ１＝１０℃、Δｔ２＝２０℃と設定している。
【００７３】
そして、熱源機側制御部４は、高温用の点火リトライモードでの点火リトライ処理においては、高温往きサーミスタ１６の検出温度Ｔａが高温用の点火リトライ停止用温度（Ｔｃ−Δｔ１）に低下するまで、点火リトライ作動を設定間隔Ｌ３で繰り返し実行し、高温往きサーミスタ１６の検出温度Ｔａが高温用の点火リトライ停止用温度（Ｔｃ−Δｔ１）に低下すると、点火リトライ処理を終了するように構成されている。
また、熱源機側制御部４は、低温用の点火リトライモードでの点火リトライ処理においては、低温往きサーミスタ１７の検出温度Ｔｂが低温用の点火リトライ停止用温度（Ｔｄ−Δｔ２）に低下するまで、点火リトライ作動を設定間隔Ｌ３で繰り返し実行し、低温往きサーミスタ１７の検出温度Ｔｂが低温用の点火リトライ停止用温度（Ｔｄ−Δｔ２）に低下すると、点火リトライ処理を終了するように構成されている。
【００７４】
前記高温用の点火リトライモードでの点火リトライ処理について、図９のフローチャートに基づいて説明を加えると、まず、点火リトライ作動を実行し、フレームロッド３０にてバーナ２４の着火を確認できると、上述の熱媒供給作動を実行するように、ステップ２に移行する（ステップ７１，７２）。
そして、点火リトライ作動を実行しても、バーナ２４の着火が確認できないときには、点火リトライ作動を実行してから設定間隔Ｌ３が経過すると、再度、点火リトライ作動を実行する（ステップ７３，７４）。
【００７５】
また、再度の点火リトライ作動を実行しても、バーナ２４の着火が確認できないときには、高温往きサーミスタ１６の検出温度Ｔａが高温用の点火リトライ停止用温度（Ｔｃ−Δｔ１）以下になるまで、点火リトライ作動を実行してから設定間隔Ｌ３経過するごとに点火リトライ作動を繰り返し実行する（ステップ７３〜７６）。
その後、高温往きサーミスタ１６の検出温度Ｔａが高温用の点火リトライ停止用温度（Ｔｃ−Δｔ１）以下になると、点火リトライ処理を終了して、断続弁２７および調整弁２８を閉弁させたのち、ファン２５の作動を停止させるとともに、循環ポンプ１４の作動を停止させるエラー用停止作動を行って、エラー表示するようにしている（ステップ７６，７７）。
【００７６】
前記低温用の点火リトライモードでの点火リトライ処理について、図１０のフローチャートに基づいて説明を加えると、まず、点火リトライ作動を実行し、フレームロッド３０にてバーナ２４の着火を確認できると、上述の熱媒供給作動を実行するように、ステップ２に移行する（ステップ８１，８２）。
そして、点火リトライ作動を実行しても、バーナ２４の着火が確認できないときには、点火リトライ作動を実行してから設定間隔Ｌ３が経過すると、再度、点火リトライ作動を実行する（ステップ８３，８４）。
【００７７】
また、再度の点火リトライ作動を実行しても、バーナ２４の着火が確認できないときには、低温往きサーミスタ１７の検出温度Ｔｂが低温用の点火リトライ停止用温度（Ｔｄ−Δｔ２）になるまで、点火リトライ作動を実行してから設定間隔Ｌ３経過するごとに点火リトライ作動を繰り返し実行する（ステップ８３〜８６）。
その後、低温往きサーミスタ１７の検出温度Ｔｂが低温用の点火リトライ停止用温度（Ｔｄ−Δｔ２）以下になると、点火リトライ処理を終了して、断続弁２７および調整弁２８を閉弁させたのち、ファン２５の作動を停止させるとともに、循環ポンプ１４の作動を停止させるエラー用停止作動を行って、エラー表示するようにしている（ステップ８６，８７）。
【００７８】
〔別実施形態〕
（１）上記第１実施形態では、点火リトライ処理の開始から終了までの点火リトライ用時間を、低温用の点火リトライモードよりも高温用の点火リトライモードの方が短くなるように設定しているが、点火リトライ用時間を、低温用の点火リトライモードと高温用の点火リトライモードとで同じ時間に設定し、点火リトライ処理における点火リトライ作動の実行間隔を、低温用の点火リトライモードよりも高温用の点火リトライモードの方が短くなるように設定して実施することができる。
【００７９】
このように設定した場合、熱源機側制御部４は、高温用の点火リトライモードでの点火リトライ処理においては、点火リトライ作動を実行してから高温用実行間隔Ｌ１経過するごとに点火リトライ作動を実行する状態で、点火リトライ作動を繰り返し実行し、点火リトライ処理を開始してからの経過時間が点火リトライ用時間Ｐ３になると、点火リトライ処理を終了する。
また、低温用の点火リトライモードでの点火リトライ処理においては、点火リトライ作動を実行してから低温用実行間隔Ｌ２経過するごとに点火リトライ作動を実行する状態で、点火リトライ作動を繰り返し実行し、点火リトライ処理を開始してからの経過時間が点火リトライ用時間Ｐ３になると、点火リトライ処理を終了する。
ただし、Ｌ１＜Ｌ２としている。
【００８０】
（２）上記第１実施形態では、点火リトライ用時間を、低温用の点火リトライモードよりも高温用の点火リトライモードの方が短くなるように設定した状態で、点火リトライ処理における点火リトライ作動の実行回数を、低温用の点火リトライモードよりも高温用の点火リトライモードの方が多くなるように設定し、かつ、点火リトライ処理における点火リトライ作動の実行間隔を、低温用の点火リトライモードよりも高温用の点火リトライモードの方が短くなるように設定するようにしているが、点火リトライ用時間を、低温用の点火リトライモードよりも高温用の点火リトライモードの方が短くなるように設定していれば、点火リトライ処理における点火リトライ作動の実行回数、および、点火リトライ処理における点火リトライ作動の実行間隔については、適宜変更が可能である。
【００８１】
例えば、点火リトライ処理における点火リトライ作動の実行回数を、低温用の点火リトライモードよりも高温用の点火リトライモードの方が多くなるように設定し、かつ、点火リトライ処理における点火リトライ作動の実行間隔を、低温用の点火リトライモードと高温用の点火リトライモードとで同じ実行間隔に設定したり、点火リトライ処理における点火リトライ作動の実行回数、および、点火リトライ処理における点火リトライ作動の実行間隔の両方とも、低温用の点火リトライモードと高温用の点火リトライモードとで同じになるように設定することが可能である。
【００８２】
（３）上記第２実施形態では、点火リトライ処理における点火リトライ作動の実行回数については、低温用の点火リトライモードと高温用の点火リトライモードとで同じ回数に設定し、かつ、点火リトライ処理における点火リトライ作動の実行間隔については、低温用の点火リトライモードよりも高温用の点火リトライモードの方が短くなるように設定することにより、点火リトライ処理の開始から終了までの点火リトライ用時間を、低温用の点火リトライモードよりも高温用の点火リトライモードの方が短くなるように設定しているが、この構成に代えて、点火リトライ処理における点火リトライ作動の実行回数については、低温用の点火リトライモードよりも高温用の点火リトライモードの方が少なくなるように設定し、かつ、点火リトライ処理における点火リトライ作動の実行間隔については、低温用の点火リトライモードと高温用の点火リトライモードとで同じ実行間隔になるように設定することにより、点火リトライ処理の開始から終了までの点火リトライ用時間を、低温用の点火リトライモードよりも高温用の点火リトライモードの方が短くなるように設定して実施することができる。
【００８３】
（４）上記第１および第２実施形態では、高温用の点火リトライモードにおいて、点火リトライ処理の開始から終了まで、一定の高温用実行間隔Ｌ１経過するごとに点火リトライ作動を繰り返し実行するようにしているが、例えば、点火リトライ処理の開始から設定時間経過するまでは、高温用実行間隔Ｌ１経過するごとに点火リトライ作動を繰り返し実行し、点火リトライ処理の開始から設定時間経過したのち、点火リトライ処理を終了するまでは、低温用実行間隔Ｌ２経過するごとに点火リトライ作動を繰り返し実行するように構成することができる。
すなわち、高温用の点火リトライモードにおいて、点火リトライ処理における点火リトライ作動の実行間隔を、点火リトライ処理の開始から終了まで一定の間隔に設定する構成に限らず、点火リトライ処理の開始から終了までを複数の時間帯に分割し、その時間帯ごとに異なる間隔を設定するように構成することも可能である。
ちなみに、上述のように、点火リトライ処理における点火リトライ作動の実行間隔を設定する構成は、高温用の点火リトライモードについてだけではなく、低温用の点火リトライモードについても適応可能である。
【００８４】
（５）上記第１および第２実施形態では、高温用の点火リトライモードおよび低温用の点火リトライモードのいずれにおいても、点火リトライ用時間、点火処理における点火リトライ作動の実行回数、点火処理における点火リトライ作動の実行間隔の３つの項目を設定するようにしているが、例えば、高温用の点火リトライモードについては、点火処理における点火リトライ作動の実行回数と点火処理における点火リトライ作動の実行間隔のみの２つの項目を設定し、低温用の点火リトライモードについては、点火リトライ用時間と点火処理における点火リトライ作動の実行間隔のみの２つの項目を設定して実施することも可能である。
すなわち、高温用の点火リトライモードにおいては、高温用の暖房端末２に適する処理内容であればよく、低温用の点火リトライモードにおいても、低温用の暖房端末１に適した処理内容であればよく、高温用の点火リトライモードおよび低温用の点火リトライモードの処理内容については、適宜変更が可能である。
【００８５】
（６）上記第３実施形態では、点火リトライ停止用温度として、高温用の点火リトライ停止用温度とその高温用の点火リトライ停止用温度よりも低い低温用の点火リトライ停止用温度の２つの点火リトライ停止用温を備えているが、点火リトライ停止用温度の数は、ひとつや３つ以上でもよく、適宜変更が可能である。
【００８６】
点火リトライ停止用温度を３つ備える場合について説明を加えると、上記第３実施形態では、図１に示すように、低温用の暖房端末１が２つ設けられているので、低温用の点火リトライ停止用温度として、図１中右側に位置する低温用の暖房端末１に対する第１低温用の点火リトライ停止用温度と、図１中左側に位置する低温用の暖房端末１に対する第２低温用の点火リトライ停止用温度とを備え、点火リトライ停止用温度としては、高温用の点火リトライ停止用温度と第１低温用の点火リトライ停止用温度と第２低温用の点火リトライ停止用温度との３つを備え、熱媒を供給する暖房端末に応じて、高温用の点火リトライ停止用温度と第１低温用の点火リトライ停止用温度と第２低温用の点火リトライ停止用温度のいずれかを選択して、点火リトライ処理を実行することになる。
【００８７】
（７）上記第３および第４実施形態では、本発明にかかる熱源機を、暖房端末として、高温用の暖房端末と低温用の暖房端末とが設けられている熱媒供給システムに適応した例を示しているが、暖房端末として、高温用の暖房端末２のみが設けられている熱媒供給システムや、低温用の暖房端末１のみが設けられている熱媒供給システムにも適応可能である。
このような場合には、例えば、複数の暖房端末の夫々について、点火リトライ停止用温度を設定し、熱媒を供給する暖房端末に応じて、その熱媒を供給する暖房端末に対して設定された点火リトライ停止用温度を選択して、点火リトライ処理を実行させたり、複数の暖房端末をひとつの組として、複数の組の夫々について、点火リトライ停止用温度を設定し、熱媒を供給する暖房端末に応じて、その熱媒を供給する暖房端末が属する組に設定された点火リトライ停止用温度を選択して、点火リトライ処理を実行させることができる。
【図面の簡単な説明】
【図１】熱媒供給システム
【図２】熱源機制御部の制御動作を示すフローチャート
【図３】第１実施形態の高温用の点火リトライモードの制御動作を示すフローチャート
【図４】第１実施形態の低温用の点火リトライモーの制御動作を示すフローチャート
【図５】第２実施形態の高温用の点火リトライモードの制御動作を示すフローチャート
【図６】第２実施形態の低温用の点火リトライモードの制御動作を示すフローチャート
【図７】第３実施形態の高温用の点火リトライモーの制御動作を示すフローチャート
【図８】第３実施形態の低温用の点火リトライモードの制御動作を示すフローチャート
【図９】第４実施形態の高温用の点火リトライモーの制御動作を示すフローチャート
【図１０】第４実施形態の低温用の点火リトライモーの制御動作を示すフローチャート
【符号の説明】
１　　　　　　　低温用の暖房端末
２　　　　　　　高温用の暖房端末
４　　　　　　　制御手段
７，８，９　　　熱媒循環路
１０，１４　　　熱媒供給手段
２４　　　　　　バーナ
【図１】
2004125275.tif 000003
【図２】
2004125275.tif 000004
【図３】
2004125275.tif 000005
【図４】
2004125275.tif 000006
【図５】
2004125275.tif 000007
【図６】
2004125275.tif 000008
【図７】
2004125275.tif 000009
【図８】
2004125275.tif 000010
【図９】
2004125275.tif 000011
【図１０】
2004125275.tif 000012